(57)【要約】【課題】基板ユニット内の雰囲気温度を低減させる熱源機を提供する。【解決手段】開口を有し、開口を覆う前板６ａを備えたケース６と、燃焼装置４と、燃焼装置４を制御する制御基板１１を有する基板ユニット５とを備え、ケース６内に燃焼装置４と基板ユニット５が収容された熱源機１において、ケース６の開口側上部に開口を横断するようにケース６の幅方向に渡設された梁部材８を設け、基板ユニット５は、制御基板１１が取り付けられる基板取付板１０と、基板取付板１０の前面側を覆う基板カバー１２とで構成され、開口に面した姿勢で梁部材８の直下に位置するように梁部材８に取り付けられ、基板ユニット５が梁部材８に取り付けられた状態であって、ケース６の奥行方向において、基板取付板１０の上部側の先端１４Ｔを梁部材８の後端８Ｕよりも後方に位置させ、平面視で基板取付板１０の上部側の先端１４Ｔと梁部材８の後端８Ｕとの間に隙間Ｓを形成した。【選択図】図５
2018035952.tif 000002
【特許請求の範囲】
【請求項１】
開口を有し、該開口を覆う前板を備えたケースと、燃焼装置と、該燃焼装置を制御する制御基板を有する基板ユニットとを備え、前記ケース内に前記燃焼装置および前記基板ユニットが収容された熱源機において、前記ケースの前記開口側上部に前記開口を横断するように前記ケースの幅方向に渡設された梁部材を設け、前記基板ユニットは、前記制御基板が取り付けられる基板取付板と、該基板取付板の前面側を覆う基板カバーとで構成され、前記開口に面した姿勢で前記梁部材の直下に位置するように前記梁部材に取り付けられ、前記基板ユニットが前記梁部材に取り付けられた状態であって、前記ケースの奥行方向において、前記基板取付板の上部側の先端を前記梁部材の後端よりも後方に位置させ、平面視で前記基板取付板の上部側の先端と梁部材の後端との間に隙間を形成したことを特徴とする熱源機。
【請求項２】
前記隙間を覆うように前記梁部材の上部に防滴部を設け、前記ケースの奥行方向において、前記防滴部の後端を前記基板取付板の後端よりも後方に位置させたことを特徴とする請求項１記載の熱源機。
【発明の詳細な説明】
【技術分野】
【０００１】
本発明は、給湯機や温水ボイラ等の熱源機に関するものである。
【背景技術】
【０００２】
従来、この種の熱源機においては、前板により開閉自在な開口を有する熱源機の筐体としてのケースと、熱源機のケース内に、バーナや熱交換器を有する燃焼装置、動作を制御するための制御基板を有する基板ユニットが収容され、前記ケースの前板を外した状態において、ケースの開口面の上部側にはケースの幅方向（左右方向）に渡設された梁部材が固定され、前記基板ユニットは、ケースの開口面に面した姿勢で配置され、梁部材に取り付けられているものであった。（例えば、特許文献１参照。）
【先行技術文献】
【特許文献】
【０００３】
【特許文献１】実公平４−３８１９５号公報
【発明の概要】
【発明が解決しようとする課題】
【０００４】
ところで、この従来のものにおいて、前記基板ユニットは、制御基板が取り付けられる基板取付板と、制御基板に液体が直接かかるのを防止するために基板取付板の上面および前面開口部を覆うように取り付けられる基板カバーとから構成されているが、基板取付板の上面および前面開口部が基板カバーによって覆われているため、燃焼装置が発する熱や制御基板が発する熱により、基板ユニット内に熱がこもってしまい、基板ユニット内の雰囲気温度が高温となり、制御基板上に実装された電子部品に悪影響を及ぼすおそれがあった。
【課題を解決するための手段】
【０００５】
本発明は上記課題を解決するために、請求項１では、開口を有し、該開口を覆う前板を備えたケースと、燃焼装置と、該燃焼装置を制御する制御基板を有する基板ユニットとを備え、前記ケース内に前記燃焼装置および前記基板ユニットが収容された熱源機において、前記ケースの前記開口側上部に前記開口を横断するように前記ケースの幅方向に渡設された梁部材を設け、前記基板ユニットは、前記制御基板が取り付けられる基板取付板と、該基板取付板の前面側を覆う基板カバーとで構成され、前記開口に面した姿勢で前記梁部材の直下に位置するように前記梁部材に取り付けられ、前記基板ユニットが前記梁部材に取り付けられた状態であって、前記ケースの奥行方向において、前記基板取付板の上部側の先端を前記梁部材の後端よりも後方に位置させ、平面視で前記基板取付板の上部側の先端と梁部材の後端との間に隙間を形成するものとした。
【０００６】
また、請求項２では、前記隙間を覆うように前記梁部材の上部に防滴部を設け、前記ケースの奥行方向において、前記防滴部の後端を前記基板取付板の後端よりも後方に位置させたものとした。
【発明の効果】
【０００７】
この発明の請求項１によれば、基板ユニットが梁部材に取り付けられた状態であって、ケースの奥行方向において、基板取付板の上部側の先端を梁部材の後端よりも後方に位置させ、平面視で基板取付板の上部側の先端と梁部材の後端との間に隙間を形成したことで、隙間を介して基板ユニット内から基板ユニット外に向けて、または隙間を介して基板ユニット外から基板ユニット内に向けて空気の流れが形成され、燃焼装置や制御基板が発する熱が基板ユニット内にこもることがなく、基板ユニット内の雰囲気温度を低下させることができ、制御基板上に実装された電子部品に悪影響を及ぼすことがないものである。
【０００８】
また、請求項２によれば、防滴部は隙間を覆うように梁部材の上部に設けられており、ケースの奥行方向において、防滴部の後端は、基板取付板の後端よりも後方に位置していることで、仮に、防滴部上に水滴が滴下しても、ケースの奥行方向において、基板取付板の後端よりも後方に水滴を導くので、基板ユニット内の制御基板上に滴下するのを防止することができ、さらに、防滴部は、梁部材の上部に設けられていることで、隙間を流通する空気の流れを阻害することがなく、基板ユニット内の雰囲気温度の低減効果を損ねることがないものである。
【図面の簡単な説明】
【０００９】
【図１】本発明の実施形態に係る熱源機の前板を外した状態の外観斜視図。
【図２】図１における熱源機の天板を外した状態の外観斜視図。
【図３】雨受けに基板ユニットおよび防滴カバーを取り付けた状態の要部斜視図。
【図４】図３における要部の分解斜視図。
【図５】雨受けに基板ユニットおよび防滴カバーを取り付けた状態を平面視した図。
【図６】図５におけるＡ−Ａ断面図。
【発明を実施するための形態】
【００１０】
本発明の実施形態に係る熱源機１の構成について図面を参照しながら詳細に説明する。
本実施形態は、温水暖房用の熱源機１としての温水ボイラーに本発明を適用したものであり、バーナ２や熱交換器３等を備えた燃焼装置４と、燃焼装置４等の動作の制御する基板ユニット５とが熱源機１の筐体をなすケース６に内蔵されている。
【００１１】
前記燃焼装置４は、送風ファン（図示せず）からの燃焼用空気の供給を受けて燃料を燃焼させるバーナ２と、バーナ２の燃焼により発生した燃焼排気から熱を回収して被加熱流体（例えば、水や不凍液）を加熱する熱交換器３と、熱交換器３通過後の燃焼排気が流通する排気流路（図示せず）と、排気流路の最下流端に燃焼排気を外部に排気する排気口７とを備えており、さらに、燃焼装置４には、燃焼に関わる部品や、前記被加熱流体を流通させるための湯水流路に設けられる循環ポンプ（図示せず）等の部品が含まれるものである。なお、燃焼装置４の構造は、公知の温水ボイラに採用されているものと同一であるため、詳細な説明を省略する。
【００１２】
前記熱源機１のケース６は、前板６ａと、天板６ｂと、底板６ｃと、右側面板および左側面および背面板を一体で形成した胴板６ｄとで構成されているものであり、図１に示すように、ケース６の前板６ａを外すと、ケース６の前面側が開口され、ケース６の前板６ａを外した状態において、基板ユニット５は、ケース６内の上部側でかつ前面開口面に面した姿勢で設けられているものである。なお、通常、熱源機１を使用する場合、前記前面開口面は前板６ａで閉じられている。
【００１３】
また、図２に示すように、ケース６の前面開口側上部には、胴板６ｄの右側板および左側板を連結するために、前面開口を横断するようにケース６の幅方向（左右方向）に渡設された梁部材としての雨受け８が設けられ、基板ユニット５は雨受け８に取り付けられており、基板ユニット５は雨受け８の直下に位置しているものである。
【００１４】
ここで、図３は雨受け８に基板ユニット５および防滴カバー９を取り付けた状態のものを抜き出して拡大した斜視図であり、図４は図３における雨受け８、基板ユニット５、防滴カバー９の分解斜視図である。
【００１５】
図４に示すように、前記雨受け８は、前板６ａと天板６ｂとの隙間からケース６内に浸入する雨等の水を受ける断面Ｊ字状の樋状部８ａと、樋状部８ａの上端縁に連設され樋状部８ａとの境界を折り目として略直角に前方に折り曲げられた庇部８ｂとで構成され、前板６ａと天板６ｂとの隙間からケース６内に浸入する雨等は、樋状部８ａと庇部８ｂとの間であって雨受け８の前面側に形成される開口からに流入し、樋状部８ａで回収されるものである。また、雨受け８の上部（詳細には、庇部８ｂの上面）には、後で詳述する防滴部としての防滴カバー９が設けられている。
【００１６】
さらに、図４に示すように、前記基板ユニット５は、基板取付板１０と、制御基板１１と、基板カバー１２とから構成されているものであり、前記基板取付板１０は、平板状の取付板本体１３と、取付板本体１３の上端縁に連設され取付板本体１３との境界を折り目として略直角に前方に折り曲げられた上部折曲片１４と、取付板本体１３の一方の側端縁に連設され取付板本体１３との境界を折り目として略直角に前方に折り曲げられた右部折曲片１５と、取付板本体１３の他方の側端縁に連設され取付板本体１３との境界を折り目として略直角に前方に折り曲げられた左部折曲片１６とを有し、上部折曲片１４の奥行方向（前後方向）の長さは、右部折曲片１５の奥行方向の長さ、または左部折曲片１６の奥行方向の長さよりも短くされており、上部折曲片１４の先端１４Ｔの位置は、制御基板１１の表面よりも若干前方に位置しているものである。また、上部折曲片１４は、基板取付板１０を雨受け８に取り付けるために他の部分より前方にせり出した取付腕部１７を有しており、また、右部折曲片１５には、胴板６ｄの右側板の端部を内方に折り曲げて形成されたフランジ部に設けられた係止孔に挿入して係止するための２つの係止爪１８が設けられているものである。
【００１７】
前記制御基板１１は、燃焼装置４等のアクチュエータの動作を制御するためのマイクロコンピュータ等の電子部品がその表面上に実装されており、電子部品が実装された面を前板６ａ側として基板取付板１０の取付板本体１３にネジ止め等により取り付けられるものである。
【００１８】
前記基板カバー１２は、ポリプロピレンからなる平板状の樹脂製のカバーであり、基板取付板１０の前面側を覆うようにして取付られるものであり、基板カバー１２は雨受け８にネジ止めされて固定される。なお、基板カバー１２は、その左上隅部および右上隅部がネジ止めされるものであるが、左上隅部の方は基板取付板１０の取付腕部１７とネジで共締めされて雨受け８に固定されるものである。
【００１９】
ここで、図５は雨受け８に基板ユニット５および防滴カバー９を取り付けた状態のものを平面視した図であり、防滴カバー９の外形を破線で示すことで防滴カバー９直下の構成が見える状態としている。また、図６は図５におけるＡ−Ａ断面図である。
【００２０】
図５または図６に示すように、ケース６の奥行方向（前後方向）において、基板取付板１０の上部側の先端である上部折曲片１４の先端１４Ｔは、雨受け８の後端８Ｕよりも後方に位置しており、基板取付板１０の上部折曲片１４の先端１４Ｔと雨受け８の後端８Ｕとの間に空気の通り道としての隙間Ｓが形成されている。この隙間Ｓがあることにより、隙間Ｓを介して基板ユニット５内から基板ユニット５外に向けて、または隙間Ｓを介して基板ユニット５外から基板ユニット５内に向けて空気の流れが形成され、燃焼装置４や制御基板１１が発する熱が基板ユニット５内にこもることがなく、基板ユニット５内の雰囲気温度を低下させることができ、制御基板１１上に実装された電子部品に悪影響を及ぼすことがないものである。
【００２１】
また、図５に示すように、幅方向（左右方向）において、雨受け８の樋状部８ａの右側端８Ｇは、基板取付板１０の右部折曲片１５の側端１５Ｇよりも若干外側に位置しており、これにより、雨受け８で受けた水は、基板取付板１０よりも外側に導かれるため、基板取付板１０の内部に浸入することがなく、制御基板１１上の電子部品に水がかかる心配がないものである。なお、幅方向（左右方向）において、雨受け８の樋状部８ａの左側端は、基板取付板１０の左部折曲片１６の側端よりも外側に位置しており、先に説明した右側端８Ｇと同様の効果を有するものである。
【００２２】
ここで、防滴部としての防滴カバー９について説明すると、防滴カバー９は、ポリプロピレンからなる平板状の樹脂製のカバーであり、防滴カバー９は、天板６ｂと雨受け８の庇部８ｂの間に位置し、且つ、基板ユニット５の上方にあたる位置に設けられ、雨受け８の上部（詳細には、庇部８ｂの上面）に取り付けられているものである。熱源機１は屋外に設置されるものもあり、そのものでは降雨により天板６ｂの外表面が急激に冷やされると天板６ｂの裏面が結露し結露水が滴下するが、防滴カバー９は、雨受け８の上部でその滴下を受け、雨受け８の直下方に位置する基板ユニット５内の制御基板１１上に滴下するのを防ぐものである。また、図５または図６に示すように、防滴カバー９は、制御基板１１が収容された基板ユニット５内と連通する前記隙間Ｓの上方を覆うように設けられており、ケース６の奥行方向（前後方向）において、防滴カバー９の後端９Ｕは、基板取付板１０の後端１０Ｕよりも後方に位置しているため、仮に、天板６ｂから防滴カバー９上に結露水（水滴）が滴下しても、ケース６の奥行方向（前後方向）において、基板取付板１０の後端１０Ｕよりも後方に結露水を導くので、基板ユニット５内の制御基板１１上に滴下するのを防止することができるものである。さらに、防滴カバー９は、雨受け８の上部に取り付けてあることで、前記隙間Ｓを流通する空気の流れを阻害することがなく、基板ユニット５内の雰囲気温度の低減効果を損ねることがないものである。
【００２３】
なお、本発明は、先に説明した一実施形態に限定されるものでなく、本実施形態では、ケース６内部に燃焼装置４と燃焼装置４等の動作の制御する基板ユニット５を備える熱源機１としての温水ボイラーに本発明を適用したが、ケース６内部に燃焼装置４と燃焼装置４等の動作の制御する基板ユニット５を備える熱源機１としての給湯機に本発明を適用してもよいものである。
【００２４】
また、本実施形態では、雨受け８の上部に防滴部として防滴カバー９を設けたが、防滴カバー９のような別部材を設けずとも、雨受け８を構成する部材の上部部分、例えば庇部８ｂを、奥行方向（前後方向）において後方に突出させて、その庇部８ｂの後端が、基板取付板１０の後端１０Ｕよりも後方に位置するようにしたものを防滴部としてもよく、そうすることで、防滴カバー９を取り付けたものと同様の効果を得ることができるものである。
【符号の説明】
【００２５】
１    熱源機
４    燃焼装置
５    基板ユニット
６    ケース
６ａ  前板
８    雨受け
８Ｕ  雨受けの後端
９    防滴カバー
９Ｕ  防滴カバーの後端
１０    基板取付板
１０Ｕ  基板取付板の後端
１１    制御基板
１２    基板カバー
１４Ｔ  上部折曲片の先端
Ｓ    隙間
【図１】
2018035952.tif 000003
【図２】
2018035952.tif 000004
【図３】
2018035952.tif 000005
【図４】
2018035952.tif 000006
【図５】
2018035952.tif 000007
【図６】
2018035952.tif 000008